(57)【要約】【課題】使用者により明るい照明を当てることができ、しかも部品サイズを小型化することもできる照明機能付き物品を提供する。【解決手段】洗面化粧台のミラーキャビネットには、キャビネットの扉部品に鏡１２が一体に組み付けられた鏡扉１１（１１ａ）が開閉可能に取り付けられる。この鏡扉１１の上部には、洗面化粧台の照明として、照明部１７が鏡面１２ａに対して前傾姿勢で傾き配置されている。照明部１７は、放電ガスのガス放電により生じる光を照射光として引き出す放電ランプ１８からなる。この放電ランプ１８は、ランプ筐体が極力薄く形成された平面形状をなした平面放電ランプ１８が使用される。【選択図】図３
2009268623.tif 000002
【特許請求の範囲】
【請求項１】
物品の一構成部品である基材の周りを照明可能な光源を備えた照明機能付き物品において、
前記光源として平面光源を使用し、当該平面光源を前記基材に対して基材表面側に傾き配置可能としたことを特徴とする照明機能付き物品。
【請求項２】
前記基材は鏡であって、当該鏡に前記平面光源が傾き状態で取り付けられていることを特徴とする請求項１に記載の照明機能付き物品。
【請求項３】
前記基材は、前記物品に設けられた開口入口を開け閉めする扉として使用されていることを特徴とする請求項１又は２に記載の照明機能付き物品。
【請求項４】
前記平面光源は、放電ガスのバリア放電により発生する光を照射光として使用する放電ランプであることを特徴とする請求項１〜３のうちいずれか一項に記載の照明機能付き物品。
【請求項５】
前記平面光源は、当該平面光源の取り付け先である取付フレームを介して前記基材に取り付けられていることを特徴とする請求項１〜４のうちいずれか一項に記載の照明機能付き物品。
【請求項６】
前記取付フレームの裏面には、前記平面光源の収納先として光源収納部が設けられ、当該光源収納部には、当該収納部の収納開口を閉じ得る蓋材が設けられていることを特徴とする請求項５に記載の照明機能付き物品。
【請求項７】
前記取付フレームの裏面には、前記平面光源の収納先として光源収納部が設けられ、当該光源収納部の壁部には、当該収納部内の空気を外気と循環させるダクトが設けられていることを特徴とする請求項５又は６に記載の照明機能付き物品。
【請求項８】
前記取付フレームの裏面には、前記平面光源の取り付け先として光源取付部が設けられ、当該光源取付部には、前記平面光源を前記光源取付部において位置決め可能な位置決め部が設けられていることを特徴とする請求項５〜７のうちいずれか一項に記載の照明機能付き物品。
【請求項９】
前記鏡は、中央の鏡に対して両サイドの鏡が当該中央の鏡に対して角度を切り換え操作可能な三面鏡であることを特徴とする請求項２〜８のうちいずれか一項に記載の照明機能付き物品。
【請求項１０】
前記平面光源の点灯消灯を管理する駆動制御部は、前記平面光源とともに前記基材に一体に取り付けられていることを特徴とする請求項１〜９のうちいずれか一項に記載の照明機能付き物品。
【請求項１１】
前記平面光源は、その表裏の両面から光を照射可能な両面発光式であることを特徴とする請求項１〜１０のうちいずれか一項に記載の照明機能付き物品。
【請求項１２】
前記平面光源と前記基材との間に設けられ、前記平面光源が前記基材に対してとる傾斜角度を変更可能とする傾斜角度切換機構を備えたことを特徴とする請求項１〜１０のうちいずれか一項に記載の照明機能付き物品。
【請求項１３】
前記平面光源は、自身が発生する熱を直接又は熱伝導部材を介して前記基材としての鏡に伝達することにより、前記鏡の曇止めとして利用されていることを特徴とする請求項１〜１２のうちいずれか一項に記載の照明機能付き物品。
【発明の詳細な説明】
【技術分野】
【０００１】
本発明は、照明により物品自体若しくは物品周囲を明るく照らし出すことが可能な照明機能付き物品に関する。
【背景技術】
【０００２】
従来から、洗面所等で洗顔、洗髪、化粧を行うために、水栓、洗面ボウル、鏡、収納等などが一体化された設備ユニットとして洗面化粧台が広く使用されている。この種の洗面化粧台は、例えば特許文献１〜４等の文献に種々開示されている。この種の洗面化粧台には、キャビネット（収納棚）の扉外面に鏡が取り付いたミラーキャビネットが設けられている。このミラーキャビネットには、鏡に映る使用者を明るく照らし出す照明装置が設置された種類のものがある。このように、ミラーキャビネットに照明装置を設置するのは、例えば使用者が洗面化粧台で化粧をする時にこれを補助すべく使用者の顔等を光で照らし出すためである。
【特許文献１】特開平７−１２４０２５号公報
【特許文献２】特開平１０−１７９２８０号公報
【特許文献３】特開２００５−３２３６５９号公報
【特許文献４】特開２００６−１２２２８８号公報
【発明の開示】
【発明が解決しようとする課題】
【０００３】
ところで、この種の照明機能付きミラーキャビネットにおいては、鏡に充分な鏡面積を持たせるためにも、鏡の面積取りに影響を与えない鏡上部に照明装置を設置するのが一般的である。しかし、この種の照明装置は自身の前方方向が主の光照射方向であるので、照明装置が鏡上部に位置する場合、使用時において照明装置の斜め下に位置する使用者に対しては、照射光が効率良く行き渡らない問題があった。また、室内空間高さの低いフロアであっても洗面化粧台が設置できるように、洗面化粧台の高さ方向における更なる小型化の要望もあった。
【０００４】
本発明の目的は、使用者により明るい照明を当てることができ、しかも部品サイズを小型化することもできる照明機能付き物品を提供することにある。
【課題を解決するための手段】
【０００５】
前記問題点を解決するために、本発明では、物品の一構成部品である基材の周りを照明可能な光源を備えた照明機能付き物品において、前記光源として平面光源を使用し、当該平面光源を前記基材に対して基材表面側に傾き配置可能としたことを要旨とする。
【０００６】
この構成によれば、照明機能付き物品の光源を、その取付対象である基材に対して基材表面側に傾く状態で取り付けた。このため、照明機能付き物品の使用に際して使用者がこの物品の正面に対峙した場合、平面光源の光源面はこの使用者に向いた配置向きをとる。よって、平面光源の照射光が使用者に向かって真っ直ぐに照射される状態となるので、使用者により強い照射光を当てることが可能となり、使用者をより明るく照らし出すことが可能となる。また、光源として平面光源を使用しているので、光源を基材に対して傾き配置した際、光源が基材に対して立設する配置向きをとる場合に比べて、光源を平面光源とした分だけ、省略スペースを極力多くとることが可能となる。よって、光源として平面光源を用いてこれを傾き配置するようにすれば、部品サイズの小型化も図ることが可能となる。
【０００７】
本発明では、前記基材は鏡であって、当該鏡に前記平面光源が傾き状態で取り付けられていることを要旨とする。
この構成によれば、基材は鏡であるので、物品備え付けの光源を鏡の照明として使用することが可能となる。よって、鏡の使用者を光源により照明することが可能となるので、使用者が例えば化粧等の身だしなみ作業を行う際に、この作業が行い易くなる。
【０００８】
本発明では、前記基材は、前記物品に設けられた開口入口を開け閉めする扉として使用されていることを要旨とする。
この構成によれば、基材は扉として使用されているので、この扉の使用者に対して極力明るい照明を当てることが可能となる。
【０００９】
本発明では、前記平面光源は、放電ガスのバリア放電により発生する光を照射光として使用する放電ランプであることを要旨とする。
この構成によれば、平面光源として放電ランプを使用しているが、この種の放電ランプには、例えばＬＥＤを使用したエッジライトや有機ＥＬや通常の蛍光灯等と比較した場合、例えば照度が高い、発光面から均一に光を発光可能、点灯に対する高耐久性、長寿命（例えば4万時間以上）、瞬時に点灯可能、使用温度範囲が広い（例えば−30〜＋80度）などの様々な利点がある。よって、本構成のように平面光源として放電ランプを使用すれば、これらの効果を享受することが可能となる。また、放電ランプにおいては様々な平面形状をとらせることも可能であり、しかも放電ランプに使用する蛍光体や放電ガスの種類によって様々な色の光を照射光として引き出すことも可能となる。
【００１０】
本発明では、前記平面光源は、当該平面光源の取り付け先である取付フレームを介して前記基材に取り付けられていることを要旨とする。
この構成によれば、平面光源は取付フレームを介して基材に取り付けられているので、例えば仮に取付フレームに種々のデザイン加工を施せば、照明機能付き物品の光源形状に様々なバリエーションを持たすことが可能となる。
【００１１】
本発明では、前記取付フレームの裏面には、前記平面光源の収納先として光源収納部が設けられ、当該光源収納部には、当該収納部の収納開口を閉じ得る蓋材が設けられていることを要旨とする。
【００１２】
この構成によれば、取付フレームの裏面に設けられた光源収納部は、蓋材によってその収納開口を閉じることが可能である。よって、平面光源を光源収納部に収納した際、この平面光源を外部に露出したままの状態にせずに済むので、平面光源に破損等を生じ難くすることが可能となる。
【００１３】
本発明では、前記取付フレームの裏面には、前記平面光源の収納先として光源収納部が設けられ、当該光源収納部の壁部には、当該収納部内の空気を外気と循環させるダクトが設けられていることを要旨とする。
【００１４】
この構成によれば、光源収納部の壁部にダクトを設けたので、光源収納部内の空気を外部に排気可能となる。よって、光源収納部内の平面光源が熱を持って光源収納部内の空気が熱くなったとしても、この熱がダクトから外部に放出されるので、平面光源を過熱から保護することが可能となる。
【００１５】
本発明では、前記取付フレームの裏面には、前記平面光源の取り付け先として光源取付部が設けられ、当該光源取付部には、前記平面光源を前記光源取付部において位置決め可能な位置決め部が設けられていることを要旨とする。
【００１６】
この構成によれば、平面光源を光源取付部に取り付ける際には、この光源取付部の取り付け先に形成された位置決め部によって平面光源が所定位置に位置決めされる。よって、平面光源を光源取付部に取り付けるに際しては、位置決め部によってその取り付け位置が案内されるので、平面光源を好適な位置に取り付けることが可能となる。
【００１７】
本発明では、前記鏡は、中央の鏡に対して両サイドの鏡が当該中央の鏡に対して角度を切り換え操作可能な三面鏡であることを要旨とする。
この構成によれば、例えば両サイドの鏡に平面光源を取り付けた場合、この両サイドの鏡の角度（向き）を切り換えれば、これら平面光源から鏡の使用者に向かう光の照射向きを自由に切り換えることが可能となる。よって、平面光源から鏡の使用者に向かって出される光の照射向きを自由に変更することが可能となるので、使用者を丁度よい明るさで照らし出すことが可能となる。また、中央の鏡にのみ平面光源を取り付けた場合であっても、両サイドの鏡の角度を切り換えれば、中央鏡の平面光源から鏡の使用者に照射される光の照射量（光量）は、両サイドの鏡の角度に応じて鏡の使用者に向かう光の反射量が変わるので、この場合も使用者に照射する光の照射量を適宜調整することが可能となる。
【００１８】
本発明では、前記平面光源の点灯消灯を管理する駆動制御部は、前記平面光源とともに前記基材に一体に取り付けられていることを要旨とする。
この構成によれば、駆動制御部は平面光源とともに基材に取り付けられるので、例えば基材に平面光源及び駆動制御部が組み付いた部品ユニットとして製造することが可能となる。このため、これら基材、平面光源及び駆動制御部の部品群を、一部品として販売することが可能となる。
【００１９】
本発明では、前記平面光源は、その表裏の両面から光を照射可能な両面発光式であることを要旨とする。
この構成によれば、平面光源が両面発光式であるので、基材の表側のみならず、基材の裏側も平面光源により照明することが可能となる。よって、もし仮にこの基材を扉として使用した場合には、この扉により開閉される開口入口の内部もこの平面光源により照明することが可能となる。
【００２０】
本発明では、前記平面光源と前記基材との間に設けられ、前記平面光源が前記基材に対してとる傾斜角度を変更可能とする傾斜角度切換機構を備えたことを要旨とする。
この構成によれば、平面光源の傾斜角度を切り換え操作可能であるので、使用者への光の当て方を自由に変更することが可能となる。よって、もし仮に使用者の体勢が変わったとしても、その都度、平面光源の傾斜角度を最適な角度に変更操作すれば、平面光源の傾斜角度を、使用者をより明るく照射可能な角度に設定することが可能となる。
【００２１】
本発明では、前記平面光源は、自身が発生する熱を直接又は熱伝導部材を介して前記基材としての鏡に伝達することにより、前記鏡の曇止めとして利用されていることを要旨とする。
【００２２】
この構成によれば、平面光源が発生する熱を鏡の曇止めとして利用するので、平面光源が発する熱を有効利用して鏡の曇止めを行うことが可能となる。ところで、例えば基材にヒータを取り付けて鏡の曇止めを行うことも想定されるが、ヒータの熱は鏡においてヒータが及ばない場所まで行き届き難い現状があるので、仮に鏡にヒータを設けたとしても、この時はヒータが位置する箇所の曇止めは図られるが、鏡全体を曇止めすることはできない現状がある。しかし、本構成のように平面光源の熱を曇止めに利用する場合、この熱を鏡においてヒータの熱が行き届かない場所に伝えるようにすれば、ヒータのデッドエリアが平面光源でカバーされることになるので、鏡をより広範囲に亘り曇り難くすることが可能となる。
【発明の効果】
【００２３】
本発明によれば、使用者により明るい照明を当てることができ、しかも部品サイズを小型化することもできる。
【発明を実施するための最良の形態】
【００２４】
以下、本発明を具体化した照明機能付き物品の一実施形態を図１〜図１０に従って説明する。
図１に示すように、住宅の洗面所や浴槽等の水回りフロアには、洗顔、洗髪、化粧を行う際に使用する各種設備が一体化された設備ユニットとして洗面化粧台１が設置されている。この洗面化粧台１には、手や顔を水（冷水、湯）で洗う際に使用する洗い設備として洗面台２が設けられている。この洗面台２の上面には、水の出し口である水栓３と、水栓３からの水を受けたり溜めたりする洗面器として洗面ボウル４が取り付けられている。洗面台２において洗面ボウル４の下部には、洗面台２の収納箇所としてアウターキャビネット５が設けられている。
【００２５】
図２に示すように、洗面台２の上面奥寄りの位置には、鏡付きの収納設備としてミラーキャビネット６が設けられている。このミラーキャビネット６のキャビネット本体７の内部には、各種物品の収納箇所として複数（本例は３つ）の収納室８〜１０が設けられている。また、キャビネット本体７の前面には、これら収納室８〜１０を開閉する扉１１が各々の収納室８〜１０ごとに設けられている。扉１１，１１…は、主として鏡１２により形成されていることから鏡扉となっている。この種の鏡１２は、ガラス板の裏面にアルミニウムや銀等の金属を蒸着し、金属の光反射を利用して物を映し出すものである。鏡扉１１，１１…は、平板形状をなしつつその表面側が鏡面１２ａとなる向きに配置され、使用者側から見て中央の鏡扉が中央鏡扉１１ａ、使用者側から見て左側の鏡扉が左鏡扉１１ｂ、使用者側から見て右側の鏡扉が右鏡扉１１ｃとなっている。これら鏡扉１１ａ〜１１ｃは、扉上下方向辺がヒンジ部１３となって開閉操作が可能な横開き式となっている。また、鏡扉１１ａ〜１１ｃは、左鏡扉１１ｂ及び右鏡扉１１ｃが両方とも内に向かって開き操作可能となっているので、三面鏡として使用可能となっている。なお、収納室８〜１０が開口入口に相当し、鏡扉１１（１１ａ〜１１ｃ）が照明機能付き物品を構成する。また、鏡１２が基材（一構成部品）を構成し、鏡面１２ａが基材表面に相当する。
【００２６】
図３及び図４に示すように、中央鏡扉１１ａの裏面には、表面側の鏡１２を裏面から一帯に覆う樹脂製の鏡裏面保護カバー１４が設けられている。この鏡裏面保護カバー１４は、鏡１２を裏面側から保護するためのものであって、色（例えば収納室８〜１０の内壁と同色）が付いた長四角の薄い平板形状に形成されている。鏡１２及び鏡裏面保護カバー１４は、上部及び下部にそれぞれフレーム１５，１６が取り付け固定され、これらフレーム１５，１６がキャビネット本体７への取り付け先となっている。なお、左鏡扉１１ｂ及び右鏡扉１１ｃも中央鏡扉１１ａと同様の鏡扉構造をとっているが、構造は基本的に同じであるので、詳細については省略する。
【００２７】
図４及び図５に示すように、中央鏡扉１１ａの上部には、鏡上部から鏡１２の使用者を明るく照らし出す照明部１７が手前側に傾く状態で取り付けられている。この照明部１７においては、その光源として放電ランプ（放電灯や放電管とも言う）１８が設けられている。放電ランプ１８は、中央鏡扉１１ａの上方から鏡１２の使用者を照らし出して、この使用者を鏡１２に鮮明に映り込ませるように働く。この種の放電ランプ１８は、電極面に誘電体が取着された一対の電極を向き合わせ状態で封止することによりランプ筐体が形成されつつ、このランプ筐体内に放電ガスが充填された構造をとる。放電ランプ１８は、両電極間に高周波高電圧の交流電圧Ｖout（図５参照）が印加されると、両誘電体間に放電（一般に、誘電体バリア放電と言う）が発生しつつ、この放電によって放電ガスが電離して放電プラズマが発生する状態となり、この放電プラズマにより発生する光を照射光として引き出している。
【００２８】
また、本例の放電ランプ１８は、ランプ筐体を薄い平板形状に形成することにより、ランプ厚さが極力薄く抑えられた平面放電ランプ１８となっている。なお、本願出願人は、例えば特開２００７−１４９６９７号公報や特開２００７−１８８７７２号公報等でこの種の平面放電ランプ１８の技術を提案している。平面放電ランプ１８は、長細い四角形状に形成されるとともに、中央鏡扉１１ａ（左鏡扉１１ｂ、右鏡扉１１ｃも同様）よりも高い位置に配置されている。また、放電ガスとしては、例えばネオン、アルゴン、キセノン、水銀蒸気等が使用されている。なお、平面放電ランプ１８が平面光源（光源）に相当する。
【００２９】
図４及び図５に示すように、中央鏡扉１１ａの上部のフレーム１５は、キャビネット本体７への取り付け箇所のみならず、平面放電ランプ１８を取り付けるランプ取付フレーム１５としても使用されている。このランプ取付フレーム１５は、中央鏡扉１１ａの上部において扉幅方向全域に亘って延びるとともに、上部が手前側に傾いた形状をとる。このランプ取付フレーム１５の裏面には、平面放電ランプ１８の収納先としてランプ収納部１９が凹設されている。また、ランプ取付フレーム１５の手前面（表面）には、図６に示すように、ランプ収納部１９にセットされた平面放電ランプ１８の照射光をフレーム外に引き出す開口部２０が貫設されている。この開口部２０は、平面放電ランプ１８のランプ面に合わせて長四角形状をとるとともに、ランプ取り付け向き（横向き）に合わせて、中央鏡扉１１ａの幅方向に延びる形状をとっている。なお、フレーム１５がランプ取付フレームに相当し、ランプ収納部１９が光源収納部（光源取付部）に相当する。
【００３０】
図６に示すように、開口部２０の開口周囲には、所定間隔をおいて複数のリブ２１，２１…が形成されている。平面放電ランプ１８は、これらリブ２１，２１…の奥行き方向面Ｅ１によって、ランプ面方向（図４の矢印Ａ方向）において位置決めされている。また、開口部２０の開口周囲は、平面放電ランプ１８のランプ面よりも小さい面積で形成されている。これにより、平面放電ランプ１８は、この開口周縁２２によってランプ面直交方向（図４の矢印Ｂ方向）において位置決めされている。また、図４に示すように、平面放電ランプ１８は、開口周縁２２の厚さ分だけ、開口部２０から浮いた取り付け状態、即ち所定の隙間を持った取り付け状態をとっている。なお、リブ２１及び開口周縁２２が位置決め部に相当する。
【００３１】
図５に示すように、平面放電ランプ１８の底面において長手方向中央位置には、ランプ筐体内への放電ガスの入口としてガス注入口２３が形成されている。平面放電ランプ１８は、ランプ収納部１９にセットされた際、中央鏡扉１１ａの幅方向において中央部に隣接して並ぶ一対の隣接リブ２１ａ，２１ａの間に収まる収納状態をとる。また、ランプ収納部１９には、平面放電ランプ１８の電気接続先としてコネクタ２４が設けられている。ランプ収納部１９にセットされた平面放電ランプ１８は、このコネクタ２４を自身の接続端子（図示略）に接続することによって電気接続されている。
【００３２】
図５に示すように、これら平面放電ランプ１８には、平面放電ランプ１８のコントローラとしてインバータ２５が接続されている。インバータ２５は、商用電源から取り込んだ低周波低電圧の交流電圧を高周波高電圧に変換し、この高周波高電圧の交流電圧Ｖoutを平面放電ランプ１８に印加することで平面放電ランプ１８を点灯させる。インバータ２５は、例えば洗面化粧台１に設置された電源スイッチ２６（図１参照）がオフからオンに操作されると、これを持って起動状態をとり、平面放電ランプ１８を点灯させる。インバータ２５は、鏡扉部分ではなくキャビネット本体７に配置され、接続配線２５ａを介して平面放電ランプ１８に接続されている。なお、インバータ２５が駆動制御部に相当する。
【００３３】
図３、図４及び図７に示すように、ランプ収納部１９には、この収納室１９ａを開閉する横に長い樹脂製のランプ裏カバー２７が着脱可能に取り付けられている。図４に示すように、ランプ裏カバー２７の下端には、略Ｕ字形状に形成された形状変化を許容する一対の弾性片（ツマミ）２８，２８が折り曲げ形成され、弾性片２８，２８の先端位置に係止片２９，２９が各々形成されつつ、ランプ裏カバー２７の上端に一対の挿込爪３０，３０が形成されている。また、ランプ収納部１９の下壁には、係止片２９，２９を挿し込み可能な一対の第１係止孔３１，３１が貫設されている。ランプ収納部１９の上壁）には、挿込爪３０，３０を挿し込み可能な一対の第２係止孔３２，３２が貫設されている。ランプ裏カバー２７の壁面（壁部）には、収納室１９ａ内の熱を室外に逃がす空気ダクト３３がカバー長手方向に沿い連続的に複数形成されている。なお、ランプ裏カバー２７が蓋材に相当し、収納室１９ａが収納開口に相当する。また、空気ダクト３３がダクトに相当する。
【００３４】
ランプ裏カバー２７をランプ収納部１９（ランプ取付フレーム１５）に取り付ける時は、挿込爪３０，３０を第２係止孔３２，３２に挿し込みつつ、この状態を保持して係止片２９，２９を第１係止孔３１，３１に係止することによってこの作業を行う。このとき、ランプ裏カバー２７は、図８に示すように、リブ２１の手前面Ｅ２によってランプ面直交方向において位置決めされる。また、ランプ裏カバー２７をランプ収納部１９から外す時は、まず最初に弾性片２８，２８の先端を摘んでこれを上側に押し出すことにより、第１係止孔３１，３１に係止状態にある係止片２９，２９を第１係止孔３１，３１から外して係止片２９，２９によるロックを解除し、この後、ランプ裏カバー２７を上方に持ち上げることによってこの作業を行う。
【００３５】
図７に示すように、中央鏡扉１１ａの内部には、鏡１２と鏡裏面保護カバー１４とで挟まれる状態でヒータ３４が内蔵されている。このヒータ３４は、自身に電源が入ると熱を持ち、この熱で鏡１２を裏面から温めることにより鏡１２の曇止めとして機能する。ヒータ３４は、例えば中央鏡扉１１ａの中央寄り部分を覆う面積で薄い平板形状に形成されている。ヒータ３４は、例えば洗面化粧台１に設置された曇止めスイッチ３５（図１参照）がオフからオンに操作されると、自身に電源が入って鏡１２の曇止めを実行する。
【００３６】
さて、洗面化粧台１の電源スイッチ２６がオフからオンに操作されると、それまで停止状態をとっていたインバータ２５が駆動を開始して、それまで消灯状態をとっていた平面放電ランプ１８が点灯状態に切り換わる。このとき、平面放電ランプ１８は洗面化粧台１（鏡１２）の使用者をその前面上部から照射し、使用者を明るく照らし出す状態をとる。よって、使用者は前方上部という操作者をより鮮明に照射できる位置から平面放電ランプ１８により照明が当てられる状態をとるので、使用者の顔や全身が鏡１２に鮮明に映し出される。これにより、使用者は鏡１２に鮮明に映し出された自身を見ながら、化粧等の身だしなみを整えることが可能となる。
【００３７】
本例においては、洗面化粧台１の照明である平面放電ランプ１８（照明部１７）を、鏡扉１１（鏡１２）の鏡面に対して前傾する状態で傾き配置した。ところで、この洗面化粧台１においては、照明設置位置である鏡上部に対してその斜め下に鏡１２の使用者が立つ使用状態をとるが、本例のように平面放電ランプ１８を鏡面に対して傾き配置すれば、平面放電ランプ１８のランプ面がこの使用者側を向く配置状態をとるので、平面放電ランプ１８が使用者をより明るく照明する状態をとる。このため、洗面化粧台１の使用者をより明るい光で照明することができ、使用者を鏡１２により鮮明に映り込ませることができる。
【００３８】
ところで、図９に示すように、例えば仮に鏡扉１１（鏡１２）に対してその高さ方向に立設した配置状態をとる光源（本例は平面放電ランプ１８）を、本例のように鏡面側に前傾させた場合、光源を前傾させた際のその前傾角度θの分だけ、洗面化粧台１にはその高さ方向において省略スペースＬが生じることが分かる。よって、照明の光源を鏡扉１１（鏡１２）に対して前傾して配置した場合には、この時に得られる省略スペースＬの分だけ、洗面化粧台１の高さサイズを低く抑えることが可能となることが分かる。
【００３９】
ここで、光源として一般的な蛍光灯３６を用いた場合を想定すると、この種の蛍光灯３６は幅が大きい現状があるので、この蛍光灯３６を傾き配置しても、高さ方向の省略スペースＬは幅の小さいＬ１となって省略スペースＬ１はさほど大きくとれない。更には、蛍光灯３６が厚い分だけ、蛍光灯３６の裏面側における空間スペースもさほどとることはできない。一方で、本例のように光源として平面放電ランプ１８を使用した場合、この種の平面放電ランプ１８は非常に薄い形状をとるものであるので、この平面放電ランプ１８を傾き配置した際には、省略スペースＬは幅が広いＬ２をとることが可能となる。よって、平面放電ランプ１８を傾き配置した場合には、洗面化粧台１の高さサイズも極力低く抑えることが可能となる。また、平面放電ランプ１８の裏面側の空間スペースも広くとることが可能となる。
【００４０】
本実施形態の構成によれば、以下に記載の効果を得ることができる。
（１）洗面化粧台１の平面放電ランプ１８（照明部１７）を鏡扉１１（中央鏡扉１１ａ）に取り付けるに際しては、この平面放電ランプ１８を鏡扉１１に対して鏡面側に前傾する状態で配置した。よって、洗面化粧台１の使用者を極めて明るく照明することができ、しかも洗面化粧台１の高さサイズを低く抑えることもできる。また、これに加えて照明部１７の裏面側の空間スペースも極力広くとることができる。
【００４１】
（２）平面放電ランプ１８を鏡１２（鏡扉１１）の照明として使用するので、鏡１２の使用者を鏡１２に鮮明に映り込ませることができる。よって、使用者が鏡１２を見ながら化粧するなどの身だしなみを整える際に、この作業を行い易くすることができる。
【００４２】
（３）平面放電ランプ１８は鏡扉１１の照明として使用されているので、平面放電ランプ１８の電源スイッチ２６がオン操作された際には、鏡扉１１の周囲がこの平面放電ランプ１８によって明るく照らし出される。よって、鏡扉１１の形状が鮮明に浮き出る状態をとるので、鏡扉１１の取手等の種々の操作部位を直ぐに見つけることができる。
【００４３】
（４）鏡扉１１の照明として平面放電ランプ１８を使用しているが、この種の平面放電ランプ１８には、例えばＬＥＤ式のエッジライト、有機ＥＬ、通常の蛍光灯等と比較した場合、例えば照度が高い、均一面発光、高耐久性、長寿命、使用温度域が広いなどの種々の利点があるので、本例のように光源として平面放電ランプ１８を使用すれば、これらの効果を享受することができる。また、この種の平面放電ランプ１８には部品形状に自由度が高いという利点もあるので、本例のように光源として平面放電ランプ１８を使用すれば、様々な平面形状をとらせることができる。さらには、平面放電ランプ１８に使用する蛍光体や放電ガスの種類によって、様々な色の光を照射光として使用することもできる。
【００４４】
（５）平面放電ランプ１８はランプ取付フレーム１５を介してこれに支持された状態で鏡扉１１に取り付けられている。よって、例えば仮にこのランプ取付フレーム１５に種々のデザイン加工を施せば、洗面化粧台１の照明部１７に様々なバリエーションを持たすことができる。
【００４５】
（６）ランプ収納部１９はランプ裏カバー２７により蓋をすることが可能であるので、平面放電ランプ１８をランプ収納部１９に収納した後、ランプ収納部１９をランプ裏カバー２７で蓋をすれば、平面放電ランプ１８が露出のままの状態をとらない。よって、平面放電ランプ１８に破損原因となる衝撃が加わり難くなり、平面放電ランプ１８に破損を生じ難くすることができる。
【００４６】
（７）ランプ裏カバー２７にダクト３３を設けたので、収納室１９ａ内の空気を室外に排気可能となる。よって、収納室１９ａ内の平面放電ランプ１８が熱を持って収納室１９ａ内の空気が熱くなったとしても、この熱がダクト３３から室外に放出されるので、平面放電ランプ１８を過熱から保護することができる。
【００４７】
（８）ランプ収納部１９に、この収納室１９ａに収納される平面放電ランプ１８の位置決め部品として、複数のリブ２１，２１…や開口周縁２２を設けた。よって、平面放電ランプ１８をランプ収納部１９に収納するに際しては、これらリブ２１，２１…や開口周縁２２によってその取り付け位置が案内されるので、平面放電ランプ１８をずれた位置ではなく、好適な位置に簡単に取り付けることが可能となる。
【００４８】
（９）本例の鏡１２は三面鏡であるので、例えば仮に両サイドの鏡扉１１ｂ，１１ｃに平面放電ランプ１８を各々取り付けた場合、これら鏡扉１１ｂ，１１ｃの配置角度（配置向き）を切り換えれば、これら平面放電ランプ１８から鏡１２の使用者に照射される光の向きを自由に切り変えることが可能となる。よって、鏡１２の使用者に照射される光の照射向きを自由に変更することが可能となるので、使用者を明る過ぎもなく暗過ぎもなく好適な明るさで照らし出すことができる。また、中央鏡扉１１ａにのみ平面放電ランプ１８を取り付けた場合であっても、両サイドの鏡扉１１ｂ，１１ｃに角度を持たせれば、中央鏡扉１１ａの平面放電ランプ１８から鏡１２の使用者に向かう光は、両サイドの鏡扉１１ｂ，１１ｃの配置角度に応じて反射量が変わるので、この場合も使用者に対する光の当て具合を適宜調整することができる。
【００４９】
（１０）左右の一対の平面放電ランプ１８として同じランプ部品を使用し、これら平面放電ランプ１８に各々のガス注入口２３が互いに向き合う位置状態とらせるべく、これら平面放電ランプ１８をその左右で上下逆向きに配置した。これにより、平面放電ランプ１８をできるだけ鏡１２の縁まで寄せて配置することが可能となるので、鏡１２の中央の鏡面領域を極力広くとることができる。
【００５０】
（１１）ランプ取付フレーム１５の裏面に、鏡１２の裏面を保護する鏡裏面保護カバー１４を設けたので、鏡扉１１の裏面を衝撃等から保護することができる。
なお、実施形態はこれまでに述べた構成に限らず、以下の態様に変更してもよい。
【００５１】
・  平面放電ランプ１８の配置位置は、必ずしも中央鏡扉１１ａの上部に限定されない。例えば、図１０（ａ）に示すように中央鏡扉１１ａの下部、図１０（ｂ）に示すように左鏡扉１１ｂ及び右鏡扉１１ｃの上部、図１０（ｃ）に示すように左鏡扉１１ｂ及び右鏡扉１１ｃの下部、図１０（ｄ）に示すように左鏡扉１１ｂ及び右鏡扉１１ｃの側部（両サイド）、図１０（ｅ）に示すようにこれらの組み合わせ等々を採用してもよい。また、この平面放電ランプ１８は、図１０（ｆ）に示すように、三面鏡の両端部、即ち左鏡扉１１ｂ及び右鏡扉１１ｃにおいて各々の外側端部に配置された小さめのランプでもよい。
【００５２】
・  照明部１７（平面放電ランプ１８）は、鏡１２の端縁から飛び出す位置状態をとることに限定されない。例えば、図１１（ａ）に示すように、照明部１７の上端縁が両サイドの鏡１２の上端縁と面一となる位置状態をとっていてもよい。この場合、中央鏡扉１１ａの鏡１２は、図１１（ｂ）に示すように、照明部１７に隠れる箇所まで延びていてもよいし、或いは図１１（ｃ）に示すように、鏡１２が照明部１７との連結箇所までしか無いものでもどちらでもよい。なお、この技術思想は、中央鏡扉１１ａの上部に取り付けた照明部１７に限らず、各配置位置に設けた照明部１７でも適用可能であることは言うまでもない。
【００５３】
・  平面放電ランプ１８は、必ずしも一方側のみの面が光るランプ構造をとることに限定されない。例えば、図１２に示すように、平面放電ランプ１８を両面発光式にするとともに、ランプ裏カバー２７を透明樹脂から形成するなどして、裏面側にも光が照射される構造をとってもよい。ところで、ミラーキャビネット６の収納室８〜１０内は光が照射されないと非常に暗いという現状があるので、収納室８〜１０に照明を当てたいという要望は強くある。そこで、例えば照明として蛍光灯を使用した場合、仮に蛍光灯を鏡扉１１の表面だけでなく裏面にも取り付けると、その分だけ鏡扉１１が厚くなる問題が発生し、また照明としてＬＥＤを使用した場合、これはスポット照明しかできないので、収納室８〜１０の全体を明るく照らし出すことができない問題が発生する。しかし、本例のように平面放電ランプ１８を両面発光式にすれば、鏡扉１１が厚くならずに収納室８〜１０の全体に照明を当てることができる。
【００５４】
・  平面放電ランプ１８は、照射光が使用者に向けて直接光として発せられる直接照明に限定されず、図１３に示すような間接照明としてもよい。この場合は、ランプ取付フレーム１５の前面に、光を遮る遮蔽材（遮蔽板）４１を取り付け、その遮蔽材の端縁（一部でも可）を開口してこれを光の出口４２として形成し、平面放電ランプ１８の光をこの光出口４２から放射させることにより、平面放電ランプ１８の光を間接光として使用する。なお、この遮蔽材４１は、鏡や単なる板材でもよく、要は光を遮ることができるものであれば、その種類は特に限定されない。なお、光照射には例えば透過、屈折、反射、吸収等があり、直接光とは、光を反射させることなく使用者を直接照射する光のことを言い、透過にあたるもの（一部は鏡１２に熱として吸収される）と見なせる。また、間接光とは、光を例えば反射板等を用いて使用者を直接照射しない光のことを言い、反射や屈折を伴う光のことを言う。
【００５５】
・  平面放電ランプ１８は、ランプ取付フレーム１５に対して動かすことができない固定式に限定されない。例えば、図１４に示すように、通常において平面放電ランプ１８は鏡１２の裏面に隠れた収納状態をとるようにし、平面放電ランプ１８を使用する時には、収納状態にある平面放電ランプ１８を斜め上方に引き出してこれを突出状態とすることにより、鏡前面を明るく照らし出す引き出し式としてもよい。
【００５６】
・  左鏡扉１１ｂ及び右鏡扉１１ｃは、一方向にのみ開き操作可能であることに限定されない。例えば、図１５（ａ），（ｂ）に示すように、左鏡扉１１ｂ及び右鏡扉１１ｃを左右両開き式としてもよい。この場合、左鏡扉１１ｂ及び右鏡扉１１ｃを開閉操作する際に、操作方向が１つのみに制限されないので、扉開閉操作の利便性をよくすることが可能となる。更に、これに加えて更に平面放電ランプ１８を表裏両方に照射可能とすれば、キャビネット本体７内の収納室１９ａも明るく照らし出されるので、更なる利便性向上に効果が高くなる。
【００５７】
・  平面放電ランプ１８は、必ずしも鏡扉１１に取り付けられることに限らず、図１６に示すように、例えばキャビネット本体７に取り付けてもよい。
・  照明部１７は、鏡１２に対して角度が固定された角度固定式に限定されない。例えば、図１７（ａ）に示すように、照明部１７（ランプ取付フレーム１５）を蝶番４３等のヒンジにより鏡扉１１に回動可能に取り付け、照明部１７の前傾角度θを切り換え可能としてもよい。この場合は、平面放電ランプ１８の前傾角度θを切り換え操作可能であるので、鏡１２の使用者への照射光の当て方を自由に変更することができる。よって、もし仮に使用者の体勢が変わったり、或いは身長が極端に高い若しくは低い人が使用者であったりしても、その都度、平面光源の前傾角度θを最適な角度に変更操作すれば、平面放電ランプ１８の前傾角度θを、使用者をより明るく照射可能な角度に設定することができる。また、この技術思想は、図１７（ｂ）に示すように、照明部１７の端縁を両サイドの鏡扉１１ｂ，１１ｃの端縁と面一としたものにも適用可能である。なお、蝶番４３が傾斜角度切換機構を構成し、前傾角度θが傾斜角度に相当する。
【００５８】
・  照明部１７（平面放電ランプ１８）を回動式とした場合、これは必ずしも照明部１７の下端部を支点とする回動方式に限定されない。例えば、図１７（ｃ）に示すように、照明部１７をその上端部を回動支点とする下開き方式を採用し、かつこの照明部１７を裏面側から光を出す裏面照射式とする。そして、通常はこの照明部１７を閉じた状態にしておき、これを照明として使用したい時には、照明部１７を下開きにより持ち上げ、この照明部１７を所定角度に傾斜配置させる。この場合、ミラーキャビネット６の収納室８〜１０内を照明することができ、しかも照明部１７を大きく持ち上げれば使用者の手元を照明することができる。
【００５９】
・  照明部１７の前傾角度θを切り換え可能とする場合、照明部１７の傾倒動作を許容するヒンジは、図１７で述べたような蝶番４３に限定されず、図１８に示すように、例えば球体ヒンジ４４を使用してもよい。この場合、例えば照明部１７は鏡扉１１（鏡１２）の斜め上部に球体ヒンジ４４を介して連結され、上斜め位置から使用者を照射する状態をとる。なお、球体ヒンジ４４が傾斜角度切換機構を構成する。
【００６０】
・  平面放電ランプ１８及びインバータ（回路基板）２５の両方をともに鏡扉１１の裏面に配置する場合、図１９に示すように、鏡扉１１を閉じた時にインバータ２５を専用に収納するインバータ収納部４５を、キャビネット本体７に形成してもよい。
【００６１】
・  平面放電ランプ１８は、電源スイッチ２６がオン操作された時に点灯し、電源スイッチ２６がオフ操作されると消灯する操作形式に限定されない。例えば、洗面化粧台１に赤外線センサ等の各種センサを配置し、このセンサが人を検知したときに、自動で平面放電ランプ１８が点灯するようにしてもよい。また、この種のセンサ式の場合、例えば洗面化粧台１の上部と下部に各々センサを取り付け、両方のセンサで物体を検知すると、その時の使用者が人であると判定して平面放電ランプ１８を点灯させ、両センサのうち下部のセンサのみで物体を検知した場合には、この時の使用者がペットであると判定して平面放電ランプ１８を点灯させないようにしてもよい。
【００６２】
・  平面放電ランプ１８のランプ面は、必ずしも何も規制のない透かし面に限定されない。例えば、ランプ面にサンドブラストを施して、ランプ面を粗い形状としてもよい。この場合、平面放電ランプ１８の照射光は、サンドブラストによる加工面により光が周囲に散らされるので、光の眩しさを軽減することができる。
【００６３】
・  ヒータ３４は、曇止めスイッチ３５がオンの状態をとる間、継続して起動状態をとることに限定されない。例えば、ヒータ３４の電源が投入されてからの経過時間をタイマで計時し、これがタイムアップした際に、ヒータ３４の電源を自動でオフするものでもよい。
【００６４】
・  平面放電ランプ１８は、点灯時に発生する熱が鏡１２の曇止め用の熱として利用されてもよい。この例としては、例えば平面放電ランプ１８の一部を鏡１２の裏面に直接密着させて、平面放電ランプ１８の発生熱を鏡１２に直接加えて鏡１２の曇止めを図ってもよいし、或いは熱伝導部材（例えば金属板や熱伝導性両面テープ等）を介して平面放電ランプ１８を鏡１２に伝わせ、平面放電ランプ１８の熱を熱伝導部材により鏡１２に積極的に伝えることで鏡１２の曇止めを図ってもよい。この場合、平面放電ランプ１８が発生する熱を、鏡１２の曇止め用に有効利用することができる。ところで、上述したように鏡扉１１にヒータ３４を取り付けて鏡１２の曇止めを図ることも可能であるが、この種のヒータ３４は鏡面において自身の周囲には熱が行き渡り難いことから、鏡面において自身が位置する箇所の曇止めは行うことができるが、その周囲は曇止めできない現状がある。よって、平面放電ランプ１８の発生熱を曇止めとして利用する場合、例えばこの熱をヒータ３４の熱が行き渡り難い箇所に配置すれば、鏡面の広範囲に曇止め用の熱を行き渡らせることが可能となるので、鏡１２をより広範囲に亘って曇止めすることができる。
【００６５】
・  平面放電ランプ１８は、一定の明るさのみで点灯することに限定されない。即ち、洗面化粧台１に光量調整スイッチを設け、このスイッチを操作することにより、平面放電ランプ１８の明るさを変更可能としてもよい。
【００６６】
・  各鏡扉１１ａ〜１１ｃに平面放電ランプ１８を設けた場合、これは操作系が１系統のみであることに限定されない。例えば、中央鏡扉１１ａ、左鏡扉１１ｂ及び右鏡扉１１ｃの各々の平面放電ランプ１８ごとに電源スイッチを設け、各々が個別の操作系統で点灯消灯操作が可能であってもよい。
【００６７】
・  インバータ（回路基板）２５の配置位置は、必ずしもキャビネット本体７や鏡扉１１（１１ａ〜１１ｃ）であることに限定されない。即ち、インバータ２５の配置位置は、例えば洗面台２の内部に組み込んだりするなど、その配置位置は特に限定されない。
【００６８】
・  鏡扉１１（１１ａ〜１１ｃ）は、必ずしも複数設けることに限らず、例えば１枚のみでもよい。また、鏡扉１１（１１ａ〜１１ｃ）の開閉形式は、必ずしも横開き式に限らず、例えば上開き式や下開き式としてもよい。また、鏡扉１１（１１ａ〜１１ｃ）の開閉形式は、この種の開き式に限らず、例えば扉を横方向に移動させるスライド式や、棚を前後方向に移動させる引き出し式でもよい。
【００６９】
・  鏡扉１１は、必ずしも洗面化粧台１に使用されることに限らず、例えばキッチンキャビネット等の他の扉に適用してもよい。
・  平面放電ランプ１８のランプ幅は、太くしたり或いは細くしたり自由に変更可能である。
【００７０】
・  平面光源は、必ずしも誘電体バリア放電を利用して光を発生する放電ランプに限定されない。要は、部品厚みさえなければ、光源は例えば蛍光灯、ＬＥＤを用いてもよい。なお、光源がＬＥＤの場合、平面光源の厚さを極力薄くするには、エッジライトを採用するとよい。
【００７１】
・  鏡１２は、全体がマジックミラーとなっているものでもよい。
・  平面放電ランプ１８は、鏡１２の裏面に配置するに際して、その取り付け先が鏡裏面保護カバー１４であることに限定されず、例えば鏡１２に直付けされる構造（要はランプが剥き出した取付状態）をとってもよい。
【００７２】
・  平面放電ランプ１８の収納方式は、例えば鏡扉１１に対してその横方向（鏡面方向）から挿し込む方式を採用してもよい。
・  ランプ裏カバー２７は、必ずしも取り外し式に限らず、例えば開き操作式でもよい。
【００７３】
・  ダクト３３は、必ずしもランプ裏カバー２７に設けられることに限らず、ランプ収納部１９の収納室１９ａの室内外を繋ぐ孔であれば、どこに設けてもよい。
・  平面放電ランプ１８のランプ面に、図２０に示すように、複数のスリット（孔、長孔等）が貫設されたスリット板４６を取り付け、これらスリットから平面放電ランプ１８の光をドット状に引き出すことにより、照明を斑状に点灯させてもよい。
【００７４】
・  照明機能付き物品は、鏡１２に平面放電ランプ１８を取り付けた照明付き鏡（本例は鏡扉１１）であることに限らず、例えば鏡１２を省略した単なる照明付き扉でもよい。また、照明機能付き物品は、図２１に示すように、絵画等の画が載ったボード４７の裏面に平面放電ランプ１８を取り付けた照明付きインテリア４８（直接照明、間接照明は問わない）でもよいし、或いは図２２に示すように、透明ガラスからなる窓４９の裏面に平面放電ランプ１８を取り付けた照明付き窓５０でもよい。なお、ボード４７及び窓４９が基材を構成し、照明付きインテリア４８及び照明付き窓５０が照明機能付き物品を構成する。
【００７５】
・  実施形態や変形例で述べた各種技術は、各々適宜組み合わせ可能であることは言うまでもない。
次に、上記実施形態及び別例から把握できる技術的思想について、それらの効果とともに以下に追記する。
【００７６】
（１）請求項１〜１３のいずれかにおいて、前記平面光源の点灯を管理する駆動制御部は、前記基材を支持する支持部材に一体に取り付けられている。この構成によれば、駆動制御部は基材ではなくこれを支持する支持部材に取り付けられているので、この駆動制御部を基材に取り付ける必要がない。このため、駆動制御部を取り付けずに済む分だけ、基材の重量を軽減することが可能となる。
【００７７】
（２）請求項１〜１３、前記技術的思想（１）のいずれかにおいて、前記平面光源は、前記基材を支持する支持部に取り付けられている。この構成によれば、基材に平面光源を取り付けずに済むので、その分だけ基材の重量を低く抑えることが可能となる。
【図面の簡単な説明】
【００７８】
【図１】一実施形態における洗面化粧台の外観を示す斜視図。
【図２】洗面化粧台のミラーキャビネットの外観を示す斜視図。
【図３】中央鏡扉の外観を表側と裏側とから見た斜視図。
【図４】洗面化粧台の照明として中央鏡扉に設置した照明部の縦断面図。
【図５】ランプ裏カバーを外した状態の照明部の正面図。
【図６】平面放電ランプを外した状態の照明部の正面図。
【図７】ランプ裏カバーが取り付けられた状態の中央鏡扉の裏面図。
【図８】図７のII−II線断面図。
【図９】照明部を傾き配置した場合に生じる効果を説明するための模式図。
【図１０】（ａ）〜（ｆ）は別例において照明部の他の配置パターン例を示す模式図。
【図１１】（ａ）〜（ｃ）は他の別例における照明部の配置パターン例を示す模式図。
【図１２】他の別例における鏡扉の照明部付近を側面から見た模式図。
【図１３】他の別例における鏡扉の照明部付近を側面から見た模式図。
【図１４】他の別例におけるミラーキャビネットの照明部付近を側面から見た模式図。
【図１５】（ａ），（ｂ）は他の別例において両開き式の鏡扉を斜視で示した模式図。
【図１６】他の別例におけるミラーキャビネットの照明部付近を側面から見た模式図。
【図１７】（ａ）〜（ｃ）は他の別例におけるミラーキャビネットの照明部付近を側面から見た模式図。
【図１８】（ａ）は他の別例における鏡扉の正面図であり、（ｂ）はこの鏡扉の使用状態を斜視で示した模式図。
【図１９】他の別例におけるミラーキャビネットの照明部付近を側面から見た模式図。
【図２０】他の別例における鏡扉の照明部付近を示す一部破断斜視図。
【図２１】他の別例における照明付きインテリアの外観を示す斜視図。
【図２２】他の別例における照明付き窓の外観を示す斜視図。
【符号の説明】
【００７９】
８〜１０…開口入口としての収納室、１１（１１ａ〜１１ｃ）…照明機能付き物品としての鏡扉、１２…基材を構成する鏡、１２ａ…基材表面としての鏡面、１５…取付フレームとしてのランプ取付フレーム、１８…平面光源（光源）としての平面放電ランプ、１９…光源収納部（光源取付部）としてのランプ収納部、１９ａ…収納開口としての収納室、２１…位置決め部を構成するリブ、２２…位置決め部を構成する開口周縁、２５…駆動制御部としてのインバータ、２７…蓋材としてのランプ裏カバー、３３…ダクトとしての空気ダクト、３４…ヒータ、４３…傾斜角度切換機構を構成する蝶番、４４…傾斜角度切換機構を構成する球体ヒンジ、４７…基材を構成するボード、４８…照明機能付き物品を構成する照明付きインテリア、４９…基材を構成する窓、５０…照明機能付き物品を構成する照明機能付き窓、θ…傾斜角度としての前傾角度。
【図１】
2009268623.tif 000003
【図２】
2009268623.tif 000004
【図３】
2009268623.tif 000005
【図４】
2009268623.tif 000006
【図５】
2009268623.tif 000007
【図６】
2009268623.tif 000008
【図７】
2009268623.tif 000009
【図８】
2009268623.tif 000010
【図９】
2009268623.tif 000011
【図１０】
2009268623.tif 000012
【図１１】
2009268623.tif 000013
【図１２】
2009268623.tif 000014
【図１３】
2009268623.tif 000015
【図１４】
2009268623.tif 000016
【図１５】
2009268623.tif 000017
【図１６】
2009268623.tif 000018
【図１７】
2009268623.tif 000019
【図１８】
2009268623.tif 000020
【図１９】
2009268623.tif 000021
【図２０】
2009268623.tif 000022
【図２１】
2009268623.tif 000023
【図２２】
2009268623.tif 000024